(57)【要約】【課題】バッテリ残量が所定の機能を動作させる電力量に満たないとき、機能を動作させる分の電力量のみをバッテリに充電するようにし、必要以上の電力を受給しないように制御する画像形成装置を提供することである。【解決手段】本発明に係る画像形成装置は、画像形成装置を動作させるために電力を供給する第１のバッテリの電力残量を検知する検知手段と、接続されている上位コンピュータより、動作命令を受信する受信手段と、第１のバッテリの電力残量が、動作命令を実行するために必要な電力よりも少ないとき、第１のバッテリの不足電力を算出する電力算出手段と、第１の電力を第１のバッテリへ充電する充電手段と、第１のバッテリへ充電された第１の電力が、不足電力分を満たしたとき、第１のバッテリへの充電を停止する停止手段と、を備えることを特徴とする画像形成装置。【選択図】図１
2017065203.tif 000002
【特許請求の範囲】
【請求項１】
搭載されている第１のバッテリで動作可能な画像形成装置であって、
前記画像形成装置を動作させるために電力を供給する前記第１のバッテリの電力残量を検知する検知手段と、
接続されている上位コンピュータより、動作命令を受信する受信手段と、
前記第１のバッテリの電力残量が、前記動作命令を実行するために必要な電力よりも少ないとき、前記第１のバッテリの不足電力を算出する電力算出手段と、
第１の電力を前記第１のバッテリへ充電する充電手段と、
前記第１のバッテリへ充電された前記第１の電力が、前記不足電力分を満たしたとき、前記第１のバッテリへの充電を停止する停止手段と、
を備える画像形成装置。
【請求項２】
前記動作命令を実行するために必要な電力を、商用電源から受給可能な状態であるとき、
前記第１のバッテリの電力を使用せずに、前記商用電源から受給した電力を使用する、
ことを特徴とする請求項１に記載の画像形成装置。
【請求項３】
前記充電手段は、予め前記上位コンピュータより、前記第１のバッテリへの充電の許可の信号を受信したとき、前記上位コンピュータから受給した前記第１の電力を前記第１のバッテリへ充電する、
ことを特徴とする請求項１、または２に記載の画像形成装置。
【請求項４】
前記充電手段は、前記上位コンピュータの第２のバッテリの電力残量から前記不足電力を差し引いた電力残量が所定のしきい値よりも多いときに限り、前記上位コンピュータから受給した前記第１の電力を前記第１のバッテリへ充電する、
ことを特徴とする請求項１から３のいずれか１項に記載の画像形成装置。
【請求項５】
、
前記検知手段は、前記第１のバッテリの電流値、および電圧値の少なくとも一方から前記第１のバッテリの電力残量を検知する、
ことを特徴とする請求項１から４のいずれか１項に記載の画像形成装置。
【請求項６】
前記動作命令が複数枚の印刷出力を行う印刷出力命令であるとき、
前記電力算出手段は、１枚の印刷出力ごとに前記第１のバッテリの不足電力を算出する、
ことを特徴とする請求項１から５のいずれか１項に記載の画像形成装置。
【請求項７】
搭載されている第１のバッテリで動作可能な画像形成装置であって、
前記画像形成装置を動作させるために電力を供給する前記第１のバッテリの電力残量を検知するステップと、
接続されている上位コンピュータより、動作命令を受信するステップと、
前記第１のバッテリの電力残量が、前記動作命令を実行するために必要な電力よりも少ないとき、前記第１のバッテリの不足電力を算出するステップと、
第１の電力を前記第１のバッテリへ充電するステップと、
前記第１のバッテリへ充電された前記第１の電力が、前記不足電力分を満たしたとき、前記第１のバッテリへの充電を停止するステップと、
を実行させるためのプログラム。
【発明の詳細な説明】
【技術分野】
【０００１】
本発明は、画像形成装置、及びプログラムに関する。
【背景技術】
【０００２】
従来より、画像形成装置には、機器の内部に電力を充電することができるバッテリを搭載しているものがある。商用電源から電力供給を受けることができる場合は、常に電力が画像形成装置へ供給されているため、余剰電力をバッテリへ充電することができる。しかし、商用電源と機器の電力供給システムのトラブルなどで、商用電源から電力供給を受けることができなくなる場合もある。そのような場合でのバッテリへの充電方法として、ホストコンピュータから画像形成装置のバッテリへ電力供給を行い、画像形成装置のバッテリを充電する技術は既に知られている。
【０００３】
しかし、ホストコンピュータから電力を受給し、画像形成装置のバッテリを充電する技術は、ホストコンピュータ側が商用電源から電力供給されていることを前提としており、停電などで商用電源が使用できない事態が発生してしまうと、ホストコンピュータ側も外部からの電力供給を受けられなくなってしまう。そのような状況で、ホストコンピュータから画像形成装置へ電力を供給し続けると、ホストコンピュータのバッテリ充電量が不足してしまい、ホストコンピュータが使用できなくなるという問題があった。
【０００４】
この問題を解決するため、特許文献１では、ＵＳＢ通信ケーブルを介して外部ＰＣなどと接続されている画像処理装置において、外部ＰＣからの電力供給手段と、蓄電された内部電源からの電力供給手段とが備えられており、更に所定の動作ごとに回路ブロックが異なっており、ＵＳＢからの電力供給を行うか、蓄電された内部電源から電力供給を行うか制御できる技術が公開されている。
【０００５】
特許文献２では、ホストコンピュータと通信ケーブルを介して接続されている周辺装置において、通常電源の他に内部に二次電池、もしくは大容量コンデンサを備え、周辺装置の動作が電力消費の少ないスタンバイ状態の際には、二次電池、および大容量コンデンサに蓄電し、印刷動作などの電力消費の大きい動作の際には蓄電された電力を消費するように制御する技術が公開されている。
【０００６】
特許文献３では、電源回路より電源を供給する画像形成装置において、画像形成装置は、内部バッテリと、ＵＳＢ通信ケーブルによって外部ＰＣと接続できるようになっており、電源回路からの電源供給が困難になった際に、内部バッテリ、外部ＰＣからＵＳＢ通信ケーブルでもって電力を供給することができる技術が公開されている。
【０００７】
特許文献４では、二次電池より電力の供給を受けて駆動する印刷装置において、供給元である二次電池の残容量に基づいて所定の印刷動作の動作可否を判定する技術が公開されている。
【０００８】
特許文献５では、機器のバッテリの電力の残量が少なくなってきたときに、外部機器から引き込める電流値に応じて、ＡＣアダプタから充電を行うか、ＵＳＢインタフェースを介して外部機器から電力を受給することにより充電を行うかを判断する技術が公開されている。
【０００９】
確かに、特許文献１〜５では、機器の内部に備えてあるバッテリなどの蓄電手段の残量が少なくなったとき、外部ＰＣなどの他機器から電力を供給することで、機器の動作を継続させることができる。しかし、停電や災害などでそもそもの電力供給が止ってしまった際には、外部ＰＣから大量の電力を受給してしまうと、供給元である外部ＰＣのバッテリの残量が不足してしまう。従って、供給元である外部ＰＣのバッテリ切れを極力防ぐことができる電力供給の手法を確立することが課題となっている。
【発明の概要】
【発明が解決しようとする課題】
【００１０】
そこで、本発明は、上記課題に鑑みてなされたもので、その目的とするところは、
バッテリ残量が所定の機能を動作させる電力量に満たないとき、機能を動作させる分の電力量のみをバッテリに充電するようにし、必要以上の電力を受給しないように制御する画像形成装置を提供することである。
【課題を解決するための手段】
【００１１】
係る目的を達成するために、本発明は、以下の特徴を有することとする。
【００１２】
本発明に係る画像形成装置は、搭載されている第１のバッテリで動作可能な画像形成装置であって、画像形成装置を動作させるために電力を供給する第１のバッテリの電力残量を検知する検知手段と、接続されている上位コンピュータより、動作命令を受信する受信手段と、第１のバッテリの電力残量が、動作命令を実行するために必要な電力よりも少ないとき、第１のバッテリの不足電力を算出する電力算出手段と、第１の電力を第１のバッテリへ充電する充電手段と、第１のバッテリへ充電された第１の電力が、不足電力分を満たしたとき、第１のバッテリへの充電を停止する停止手段と、を備えることを特徴とする。
【００１３】
本発明に係る画像形成装置を実行するためのプログラムは、搭載されている第１のバッテリで動作可能な画像形成装置であって、画像形成装置を動作させるために電力を供給する第１のバッテリの電力残量を検知するステップと、接続されている上位コンピュータより、動作命令を受信するステップと、第１のバッテリの電力残量が、動作命令を実行するために必要な電力よりも少ないとき、第１のバッテリの不足電力を算出するステップと、第１の電力を第１のバッテリへ充電するステップと、第１のバッテリへ充電された第１の電力が、不足電力分を満たしたとき、第１のバッテリへの充電を停止するステップと、を含むことを特徴とする。
【発明の効果】
【００１４】
本発明によれば、バッテリ残量が所定の機能を動作させる電力量に満たないとき、機能を動作させる分の電力量のみをバッテリに充電するようにし、必要以上の電力を受給しないように制御することが可能となる。
【図面の簡単な説明】
【００１５】
【図１】本実施形態における機能ブロックを示す図である。
【図２】本実施形態におけるハードウェア構成を示す図である。
【図３】本実施形態における電源切替えの手法を示す図である。
【図４】本実施形態における画像形成装置のホストコンピュータからの印刷命令を受信した際の電力供給のフローチャートである。
【図５】本実施形態における画像形成装置のホストコンピュータからの印刷命令を受信した際の印刷枚数を考慮した電力供給のフローチャートである。
【図６】本実施形態における印刷ジョブを行うために必要となる電力量算出用の表である。
【図７】本実施形態における画像形成装置のホストコンピュータからのコピー／スキャン命令を受信した際の電力供給のフローチャートである。
【発明を実施するための形態】
【００１６】
本発明を実施するための形態について図面を参照して説明する。図１は本実施形態の画像形成装置の機能ブロックを示すものである。本実施形態で用いる画像形成装置１は、検知手段１０、受信手段１１、電力算出手段１２、充電手段１３、停止手段１４から構成されている。
【００１７】
検知手段１０は、画像形成装置１のバッテリの残量を検知する。バッテリ検知は常に動作させていなくても、例えば、動作のジョブが完了した際など、多量の電力を消費した際などに行うなどでもよい。またＡＣ電源に接続されている状態では、常にフルに充電されている可能性が高いため、停電時などＡＣ電源からの充電が不可の際に動作させるようにしてもよい。また、電力量の検知はバッテリの電流、もしくは電圧により検知されることが一般的であるが、その他の方法で検知できればこの限りではない。
【００１８】
受信手段１１は、接続されているホストコンピュータから動作命令を受信する。本実施例では、印刷出力命令、コピー命令、スキャン命令などが挙げられるが、その他の動作命令でもよい。画像形成装置とホストコンピュータはＵＳＢケーブルなどで接続されており、動作命令もケーブルを介して信号の送受信で行われる。
【００１９】
電力算出手段１２は、ホストコンピュータからの動作命令を受信した際、バッテリ残量が機能を動作するために必要な電力に満たないとき、不足している電力を算出する。検知手段１０よりバッテリ残量の情報を受け取り、更に命令を受けた機能を動作するために必要となる電力量から不足電力の算出を行う。また、印刷出力、およびコピー、スキャン動作は主に１枚ごとの処理動作を複数回繰り返す場合が多いため、１枚ごとの動作に必要となる電力を算出するようにすることも可能である。
【００２０】
充電手段１３は、機能を動作させるための電力をバッテリの残量では賄えないときに、外部より電力を受給し、バッテリに充電する。尚、外部から電力を受給は、商用電源、もしくはホストコンピュータのどちらからでも可能であるが、基本的には商用電源からの電力の受給が可能であるときは商用電源からの電力の受給が優先される。ホストコンピュータから電力を受給する際には、ホストコンピュータの電力が不足してしまう事態を避けるため、ホストコンピュータのバッテリの電気残量にしきい値を定め、画像形成装置の不足電力を差し引いた電気残量がしきい値よりも大きいとき、画像形成装置へ不足電力を供給できるようにしてもよい。
【００２１】
停止手段１４は、外部から受給した電力量とバッテリ残量を合わせた電力量が、機能を動作させるために必要な電力に達したとき、外部からの電力供給によるバッテリへの充電を停止させる。外部からの電力供給によるバッテリへの充電を停止させる判断基準は、不足していた電力分を賄えれば問題ないが、判断基準にしきい値を定めて充電量がそのしきい値を上回ったら充電を停止させるようにしてもよい。
【００２２】
また、図１では記載していないが、画像形成装置が不足電力を受給する際にホストコンピュータより不足電力を受給するが、これは停電など、ＡＣ電源より電力の供給が受けられない事態の想定の基である。ホストコンピュータから電力供給を受けている際に、ＡＣ電源が復旧し、ＡＣ電源から電力の供給を受けられる状態になれば、ＡＣ電源から電力供給を受けるべきであるため、不足電力をホストコンピュータから受給するか、ＡＣ電源から受給するかを制御できるようにしておくことが好ましい。ＡＣ電源の復旧を判断する方法は、例えば所定の期間でＡＣ電源からの電流、および電圧を検知できたとき、ＡＣ電源から電力を受けられる状態と判断する、などである。
【００２３】
次に本実施形態の画像形成装置のハードウェア構成について図２を用いて説明する。尚、画像形成装置の構成は、図２に示したものと必ずしも同じ構成である必要はなく、本実施形態を実現できるハードウェアを備えていればそれで十分である。
【００２４】
画像形成装置１は、所定のプログラムを実行することにより、画像形成装置１の全体の制御を実現するためのＣＰＵ１０１と、画像形成装置１の電源が投入されたときにＣＰＵ１０１が読出すプログラムを記憶する読出専用メモリ（Ｒｅａｄ  Ｏｎｌｙ  Ｍｅｍｏｒｙ（ＲＯＭ））１０２と、ＣＰＵ１０１が作業用メモリとして使用するランダム・アクセス・メモリ（Ｒａｎｄｏｍ  Ａｃｃｅｓｓ  Ｍｅｍｏｒｙ（ＲＡＭ））１０３と、画像形成装置１の電源が切断されたときに種々のデータの記録を保持することが可能なＨＤＤ１０４と、マウスや入力キーで構成される入力装置１０５と、液晶、および有機ＥＬなどのパネルを用いたディスプレイを備えた表示装置１０６と、を備えている。尚、本実施例で用いる所定のしきい値などの情報はＲＯＭ１０２、およびＲＡＭ１０３などに格納されている。
【００２５】
また、画像形成装置１は、他の専有機能として、画像処理部１０７と、スキャナ部１０８と、コピー部１０９と、電源制御部１１０と、ＵＳＢＩ／Ｆ１１１と、通信Ｉ／Ｆ１１２と、バッテリ部１１３と、電源より供給される電源をＡＣ電流、またはＤＣ電流に変換するＡＣ／ＤＣ１１４と、ＵＳＢＩ／Ｆを介して画像形成装置と接続されているホストＰＣ１１５と、を備えている。尚、これらの専有機能はＣＰＵ１０１からの指令に基づいて連動して動作する。
【００２６】
画像処理部１０７は、スキャナ部１０８などによって読み込まれ画像データの各種処理を実施する。各種処理とは、画像の明暗や色彩補正、また画像の回転処理などを含めた画像処理に関わる一連の処理が行われる。各種処理された画像データは記録媒体であるＨＤＤ１０４などに記憶される。
【００２７】
スキャナ部１０８は、所定の動作命令に基づいて、画像データから図示しない光学機器を利用して、画像データを読み取る。スキャナ方法としては、イメージスキャナやＣＴスキャナなど従来の技術が用いられており、これらに限定されず、画像データを読み取れればどのような方法でもよい。動作命令は主にホストＰＣ１１５よりＵＳＢＩ／Ｆを介して受信することを想定しているが、他の機器からネットワークを介して動作命令を受信する構成とすることも可能である。
【００２８】
コピー部１０９は、所定の動作命令に基づいて、読み込まれ画像データのコピー処理を実施する。動作命令は主にホストＰＣ１１５よりＵＳＢＩ／Ｆを介して受信することを想定しているが、他の機器からネットワークを介して動作命令を受信する構成とすることも可能である。
【００２９】
電源制御部１１０は、画像形成装置１が所定の動作を行うために供給される電力を切り替えるための回路により構成されている。通常の動作時はＡＣ電源より電力が供給されて画像形成装置１を動作させるが、震災、および停電などでＡＣ電源からの電力供給ができない場合は、バッテリ部１１３などから電力を供給し、動作させることができる。また切替え機能においては、バッテリ部のみに関わらず、例えばＵＳＢＩ／Ｆ１１１から供給される電力を使用できるようにすることも可能である。
【００３０】
ＵＳＢＩ／Ｆ１１１は、ホストＰＣ１１５との通信機能を持ったインターフェースであり、接続方法はケーブルを用いた有線による通信であるが、ネットワークを介した無線通信とするような構成も可能である。また、ホストＰＣ１１５より、印刷ジョブ、スキャナジョブ、コピージョブなどの機能動作の命令、および画像形成装置の設定や状態の通知などを通信により可能とする。更にホストＰＣ１１５からの電力を供給する機能も有しており、供給された電力はバッテリ部１１３に充電される。
【００３１】
通信Ｉ／Ｆ１１２は、外部の機器やコンピュータ等の電子機器との間で各種情報をネットワークを介して入出力するためのインターフェースである。画像データなどを通信Ｉ／Ｆ１１０を介して入出力を行う。通信Ｉ／Ｆ１１０は、例えばＵＳＢポートやＬＡＮポート、無線ＬＡＮポートなどがあり、外部の機器とデータの送受信が行えればどのようなものでも構わない。
【００３２】
バッテリ部１１３は、画像形成装置１に供給された電力を蓄えることができる。近年では、ＡＣ電源などから供給される電気エネルギーを化学エネルギーに変換することで長時間の電力保持が可能となるものがあるが、本発明でもそれらの機能を有している。ＡＣ電源からの電力受給ができなくなった場合は、蓄えた電力を供給することで各機能を動作させることが可能となる。また、ＡＣ電源からの電力供給が十分に行われている場合は、ＡＣ電源から充電できるような構成でも構わない。
【００３３】
ＡＣ／ＤＣ１１４は、ＡＣ電源から供給される電力を交流から直流に変換し、画像形成装置１の各機能に適した電力を生成する。コピー機能、スキャナ機能、印刷機能など機能ごとで構成される回路が直流電源、交流電源など異なっている際に、各機能を動作させるために適した電力を生成し、供給を行う。
【００３４】
ホストＰＣ１１５は、画像形成装置１と通信手段を介して接続されている大型コンピュータである。画像形成装置１への機能のジョブ命令、設定、状態などを管理し、通信手段より画像形成装置１へ信号を送る。図示していないが、バッテリ部を備えており、バッテリ部と通信手段を介して画像形成装置へ電力の供給を行うことができる。
【００３５】
次に、本実施例の電源制御について説明する。図３は本実施形態における電源切替えの手法を示す図である。電源制御部１１０は、入力切替制御部２０１、出力切替制御部２０２、充放電切替制御部２０３より構成されている。画像形成装置１への電源供給は、ＡＣ電源、ホストＰＣからの電力、バッテリ部など複数の供給元があるため、電源制御部１１０は、状況に応じて、供給元からの電力供給を制御している。
【００３６】
入力切替制御部２０１は、画像形成装置１に搭載されているバッテリ部１１３へ電力供給を行うための経路を切り替える回路であり、ＡＣ電源とＵＳＢＩ／Ｆ１１１の信号の切り替えを行っている。また、ＡＣ電源から十分な電力の供給が行われていると判断した時は、ＵＳＢＩ／Ｆ１１１からの電力供給を停止させる。つまりＡＣ電源、およびＵＳＢＩ／Ｆ１１１からの電力供給の状態を監視し、どちらから電力供給を受けるかを決定する。
【００３７】
出力切替制御部２０２は、画像形成装置１の各機能を動作させるために供給電源を切り替える回路である。本発明では、ＡＣ電源から供給されている電力とバッテリ部１１３から供給される電力を切り替える制御を行っている。ＵＳＢＩ／Ｆ１１１から供給される電力は直接出力切替制御部２０２に送られることはない。
【００３８】
充放電切替制御部２０３は、バッテリ部１１３に対して、供給元から供給される電力の充電を行うか、充電を行わずに画像形成装置１を動作させるために放電するかの制御を行う。制御方法は、バッテリ部１１３の電力残量、および画像形成装置１の動作に使用する電力量を検知し、それらの情報より充放電の制御を行う。
【００３９】
実施例：（印刷ジョブの実行）
次に本実施形態の手順をフローチャートに従って説明する。図４は本実施形態における画像形成装置のホストコンピュータからの印刷命令を受信した際の電力供給のフローチャートである。
【００４０】
まず、通信手段を介してホストコンピュータより印刷命令を受信する（ステップ１）。印刷命令を受信したら画像形成装置がＡＣ電源より電力の供給を受けている状態かを確認する（ステップ２）。ここで、ＡＣ電源から電力供給を受けているかを判断するためには、例えばＡＣ／ＤＣへ供給される単位時間当たりの電流値などで判断することが可能であるが、これに限定されず単位時間当たりの電圧値などで判断を行ってもよい。ＡＣ電源からの電力供給が受けられていないとき、画像形成装置のバッテリ残量で印刷ジョブを行えるかを確認する（ステップ３）。印刷ジョブの動作を行うために必要となる電力と、バッテリ残量と、からバッテリ残量が印刷ジョブの動作を行うために必要となる電力を満たしているかを判断する。
【００４１】
バッテリ残量が印刷ジョブを行うために必要となる電力を満たしていないとき、ホストコンピュータから電力を受給し、バッテリへ充電を行う（ステップ４）。充電されたバッテリの残量を確認し、印刷ジョブを行うために必要な電力を満たしているかを再度確認する（ステップ５）。尚、バッテリ残量の再確認は、ホストコンピュータからの電力供給が開始された時間を起点に所定の時間ごとに確認を行うことが好ましい。再確認の結果、印刷ジョブを行うために必要となる電力を満たしていないとき、ホストコンピュータからの電力供給を継続する。
【００４２】
再確認結果、印刷ジョブ行うために必要となる電力を満たしたとき、ホストコンピュータからの電力供給を停止させる（ステップ６）。尚、必要以上にホストコンピュータから電力を供給させないために、電力供給を停止させる判断をするしきい値などを設けてもよい。例えばジョブの動作に必要な電力に対して、必要十分なバッテリ残量が「ジョブ動作に必要な電力と同量」、または「ジョブ動作に必要な電力＋α量」とするしきい値を定め、その電力量を満たしたとき、ホストコンピュータからの電力供給を停止させる。バッテリへの充電が完了したら、印刷ジョブを実行し、印刷を行う（ステップ７）。
【００４３】
また、ステップ２でのＡＣ電源からの電力供給を受けているとき、もしくはステップ３でのバッテリ残量が印刷ジョブを行うために必要となる電力を満たしているとき、ホストコンピュータからの電力供給を行わずに、印刷ジョブを実行し、印刷を行う。
【００４４】
他の実施例：（印刷枚数単位での印刷ジョブの実行）
次に本実施形態の他の実施例をフローチャートに従って説明する。図５は本実施形態における画像形成装置のホストコンピュータからの印刷命令を受信した際の印刷枚数を考慮した電力供給のフローチャートである。印刷ジョブとしては図４のフローチャートの流れと同等であるが、単位枚数当りで動作を行うという点が異なっている。
【００４５】
まず、通信手段を介してホストコンピュータより印刷命令を受信する（ステップ８）。印刷命令を受信したら画像形成装置がＡＣ電源より電力の供給を受けている状態かを確認する（ステップ９）。ここで、ＡＣ電源から電力供給を受けているかを判断するためには、例えばＡＣ／ＤＣへ供給される単位時間当たりの電流値などで判断することが可能であるが、これに限定されず単位時間当たりの電圧値などで判断を行ってもよい。
【００４６】
ＡＣ電源からの電力供給が受けられていないとき、画像形成装置のバッテリ残量で印刷ジョブを行えるかを確認する（ステップ１０）。印刷ジョブの動作を行うために必要となる電力と、バッテリ残量と、からバッテリ残量が印刷ジョブの動作を行うために必要となる電力を満たしているかを判断する。
【００４７】
次に、ホストコンピュータから電力の供給を行っても問題はないかの事前確認を行う（ステップ１１）。ホストコンピュータ自体も動作を機能させており、バッテリは動作を機能させるごとに消費していくため、画像形成装置へ電力を供給すると、ホストコンピュータ自体の動作が停止してしまう可能性が十分に考えられる。電力供給を行えるか行えないかを判断するため、ホストコンピュータのバッテリ残量に予めしきい値を設けてもよい。ホストコンピュータからの電力供給は不可であると判断させると印刷ジョブは中断される（ステップ１８）。
【００４８】
ホストコンピュータから電力供給を行えると判断されると、単位枚数当りの印刷に必要となる電力の算出を行う（ステップ１２）。ホストコンピュータから供給する電力を必要最小限にするためには、印刷ジョブ全体で必要となる電力を一度に受給してしまうと、場合によっては、過量の電力を受給してしまうことがある。図６は印刷ジョブを行うために必要となる電力量算出用の表である。図６より、n枚印刷出力を行う際に必要となる電力量Whは以下の式で表される。
【００４９】
【数１】
2017065203.tif 000003
【００５０】
式（１）より単位枚数当りの印刷に必要となる電力は、
【００５１】
【数２】
2017065203.tif 000004
【００５２】
と求めることができる。
【００５３】
バッテリ残量が印刷ジョブを行うために必要となる電力を満たしていないとき、ホストコンピュータから電力を受給し、バッテリへ充電を行う（ステップ１３）。
【００５４】
受給した電力を充電したバッテリの残量を確認し、バッテリの残量で単位枚数当りの印刷を行うために必要な電力を満たしているかを再度確認する（ステップ１４）。尚、バッテリ残量の再確認は、ホストコンピュータからの電力供給が開始された時間を起点に所定の時間ごとに確認を行うことが好ましい。再確認の結果、印刷ジョブを行うために必要となる電力を満たしていないとき、ホストコンピュータからの電力供給を継続する。
【００５５】
再確認の結果、印刷ジョブを行うために必要となる電力を満たしているとき、ホストコンピュータからの電力供給を停止させる（ステップ１５）。尚、必要以上にホストコンピュータから電力を供給させないために、電力供給を停止させる判断をするしきい値などを設けてもよい。例えばジョブの動作に必要な電力に対して、必要十分なバッテリ残量が「ジョブ動作に必要な電力と同量」、または「ジョブ動作に必要な電力＋α量」とするしきい値と定め、その電力量を満たしたとき、ホストコンピュータからの電力供給を停止させる。バッテリへの充電が完了したら、印刷ジョブを実行し、印刷を行う（ステップ１６）。
【００５６】
一部目の印刷が完了した際に、追加で印刷を行う必要があるかを確認する（ステップ１７）。複数部の印刷を行う場合は、予め印刷データを読み込む際に原稿の枚数を確認しておき、一部目の印刷が完了した後で、データを確認することができる。追加で印刷を行う必要がある場合、ステップ９からの手順を再度進めていくことになる。追加で印刷を行う必要がない場合、ジョブの終了となる。
【００５７】
他の実施例：（印刷ジョブ以外のジョブの実行）
次に本実施形態の２つ目の他の実施例をフローチャートに従って説明する。図７は本実施形態における画像形成装置のホストコンピュータからのコピー／スキャン命令を受信した際の電力供給のフローチャートである。印刷ジョブ以外のジョブとしてコピー／スキャン命令をホストコンピュータから受けた際の処理の流れを説明する。
【００５８】
まず、通信手段を介してホストコンピュータよりコピー／スキャン命令を受信する（ステップ１９）。コピー／スキャン命令を受信したら画像形成装置がＡＣ電源より電力の供給を受けている状態かを確認する（ステップ２０）。ここで、ＡＣ電源から電力供給を受けているかを判断するためには、例えばＡＣ／ＤＣへ供給される単位時間当りの電流値などで判断することが可能であるが、これに限定されず単位時間当りの電圧値などで判断を行ってもよい。ＡＣ電源からの電力供給が受けられていないとき、画像形成装置のバッテリ残量でコピー／スキャンジョブを行えるかを確認する（ステップ２１）。コピー／スキャンジョブの動作を行うために必要となる電力と、バッテリ残量と、からバッテリ残量がコピー／スキャンジョブの動作を行うために必要となる電力を満たしているかを判断する。
【００５９】
次に、ホストコンピュータから電力の供給を行っても問題がないかの事前確認を行う（ステップ２２）。ホストコンピュータ自体も動作を機能させており、バッテリは動作を機能させるごとに消費していくため、画像形成装置へ電力を供給すると、ホストコンピュータ自体の動作が停止してしまう可能性が十分に考えられる。電力供給を行えるか行えないかを判断するため、ホストコンピュータのバッテリ残量に予めしきい値を設けてもよい。ホストコンピュータからの電力供給は不可であると判断させるとコピー／スキャンジョブは中断される（ステップ２７）。
【００６０】
バッテリ残量がコピー／スキャンジョブを行うために必要となる電力を満たしていないとき、ホストコンピュータから電力を受給し、バッテリへ充電を行う（ステップ２３）。充電したバッテリの残量を確認し、バッテリの残量でコピー／スキャンジョブを行うために必要な電力を満たしているかを再度確認する（ステップ２４）。尚、バッテリ残量の再確認は、ホストコンピュータからの電力供給が開始された時間を起点に所定の時間ごとに確認を行うことが好ましい。再確認の結果、印刷ジョブを行うために必要となる電力を満たしていないとき、ホストコンピュータからの電力供給を継続する。
【００６１】
再確認結果、コピー／スキャンジョブ行うために必要となる電力を満たしたとき、ホストコンピュータからの電力供給を停止させる（ステップ２５）。尚、必要以上にホストコンピュータから電力を供給させないために、電力供給を停止させる判断をするしきい値などを設けてもよい。例えばジョブの動作に必要な電力に対して、必要十分なバッテリ残量が「ジョブ動作に必要な電力と同量」、または「ジョブ動作に必要な電力＋α量」とするしきい値と定め、その電力量を満たしたとき、ホストコンピュータからの電力供給を停止させる。バッテリへの充電が完了したら、コピー／スキャンジョブを実行し、コピー／スキャンを行う（ステップ２６）。
【００６２】
以上、本実施を好適な形態で行う実施例を説明した。ここでは特定の具体例を示して説明を行ったが、特許請求の範囲の趣旨及び範囲から逸脱しない範囲で、本具体例の様々な修正、および形態変更などが可能である。
【００６３】
本発明により、バッテリ残量が所定の機能を動作させる電力量に満たないとき、機能を動作させる分の電力量のみをバッテリに充電するようにし、必要以上の電力を受給しないように制御することが可能となることを確信する。尚、本発明は、画像形成装置の印刷ジョブ、コピー／スキャナジョブに限定されずに、その他の機能を実行する際にも適用は可能である。
【００６４】
本願発明を実現できるような構成であれば、用いる装置の具備する内容、および装置の数量などは本実施例に限定されない。
【符号の説明】
【００６５】
１０    検知手段
１１    受信手段
１２    電力算出手段
１３    充電手段
１４    停止手段
【先行技術文献】
【特許文献】
【００６６】
【特許文献１】特開２０１１−２０９０８１号公報
【特許文献２】特開２００２−０９９３６１号公報
【特許文献３】特開２０１２−２４５６７７号公報
【特許文献４】特開２０１４−１８８９３１号公報
【特許文献５】国際公開第２０１１／００７５４７号
【図１】
2017065203.tif 000005
【図２】
2017065203.tif 000006
【図３】
2017065203.tif 000007
【図４】
2017065203.tif 000008
【図５】
2017065203.tif 000009
【図６】
2017065203.tif 000010
【図７】
2017065203.tif 000011